(57)【要約】【課題】  前方シートとの干渉等を防止し、かつモータの駆動による天井格納シートの自動化をはかるという目的を、構成の複雑化等を伴うことなく実現可能とした。【解決手段】  支持アーム１６をその軸線方向に伸縮可能とし、格納位置からの復元時、この支持アームを回動用モータ１８の動力により所定のロック解除位置まで回動させ、この回動用モータの停止後における伸縮用モータ２０の起動のもとで所定の伸長状態まで伸長させた後、この支持アームを、所定のロック手段によりロックするとともに、所定のロック解除手段によるロック解除後、支持アームを、所定のロック解除位置で伸縮用モータの動力により所定の収縮状態まで収縮し、この伸縮用モータの停止後における回動用モータの起動により、この支持アームを格納位置まで回動させる。【選択図】          図３
2006015940.tif 000002
【特許請求の範囲】
【請求項１】
折り畳み可能なシート本体と；このシート本体を支持するとともに、シート本体の着座形態を形成可能とする着座位置から、車体の天井面に沿った格納位置までの間を、車体の天井内に配された回動支点を中心として回動される支持アームと；着座位置での支持アームを、そのロックのもとで車体に対して固定的に保持可能とするロック手段と；を備えてなる車両用天井格納シートにおいて、
上記支持アームが、その軸線方向に伸縮可能であり、この支持アームを回動させる際の駆動源となる回動用モータ、およびそれを伸縮させる際の駆動源となる伸縮用モータが、その動力を支持アームに伝達、付与可能に、車体の天井内にそれぞれ配設されるとともに、格納指令を行う格納スイッチ、および復元指令を行う着座スイッチを少なくとも有してなる制御手段により、上記回動用、伸縮用の各モータの駆動制御が行われ、
また、上記回動用モータでの上記支持アームの駆動範囲が、上記格納位置と、上記着座位置より格納位置寄りに規定された、上記ロック手段に対するロック解除位置との間として限定され、この回動用モータの動力による駆動範囲外となる、このロック解除位置と着座位置との間においては、所定の付勢手段からの付勢力のもとで、上記支持アームがロック解除位置方向に付勢され、
上記格納位置からの復元時、収縮状態にある上記支持アームを、上記回動用モータの動力により上記ロック解除位置まで回動させ、この回動用モータの停止後における上記伸縮用モータの起動のもとで所定の伸長状態まで伸長させた後、このロック解除位置からの、上記付勢手段の付勢力に抗した押し込みに伴う上記ロック手段のロックにより、この伸長状態の支持アームを、上記着座位置に固定的に保持するとともに、
所定のロック解除手段による、上記着座位置での上記ロック手段に対するロック解除後、上記付勢手段の付勢力のもとで上記ロック解除位置に回動、保持された上記支持アームを、上記伸縮用モータの動力により、そのロック解除位置において所定の収縮状態まで収縮し、この伸縮用モータの停止後における上記回動用モータの起動のもとで、この収縮状態の支持アームを、上記格納位置まで回動させることを特徴とした車両用天井格納シート。
【請求項２】
前記ロック手段が、車体および前記支持アームのいずれか一方に固定されたストライカと；このストライカを固定的に把持可能に構成されて、車体および前記支持アームの上記一方に対する他方に設けられたキャッチユニットと；の組み合わせとしてなるとともに、このロック手段に対してロック解除操作を行う前記ロック解除手段が、手動式の解除レバーとしてキャッチユニットとの同一部材に設けられた請求項１記載の車両用天井格納シート。
【請求項３】
前記ロック手段が、車体に固定されたストライカと；このストライカを固定的に把持可能に構成されて、前記支持アームに設けられたキャッチユニットと；の組み合わせとしてなるとともに、このロック手段に対してロック解除操作を行う前記ロック解除手段が、前記制御手段により作動制御される作動手段から形成され、
前記着座位置からの格納時、前記制御手段の格納スイッチ操作により作動手段を作動させた後の所定時間経過後に、伸縮用モータが起動される請求項１記載の車両用天井格納シート。
【請求項４】
回動用モータによる格納駆動時の負荷荷重の軽減を目的として設けられるアシストスプリングが、格納位置方向への付勢力を支持アームに付与可能に配されるとともに、このアシストスプリングの付勢力を、前記ロック解除位置と着座位置との間でも同一方向に作用させることにより、このアシストスプリングを前記付勢手段として兼用する請求項１ないし３のいずれか記載の車両用天井格納シート。
【請求項５】
前記回動用モータの動力により駆動される駆動軸を、車体の天井内に設けられた左右一対のベースブラケット間に架設、軸支し、この駆動軸に対し、前記支持アームを一体回動可能に連結することにより、この駆動軸を支持アームの回動支点とする請求項１ないし４のいずれか記載の車両用天井格納シート。
【請求項６】
前記支持アームの回動支点となる駆動軸を、左右一対の支持ブラケット間に架設、軸支し、この駆動軸に対し、前記回動用モータの動力を伝達、付与することにより、この回動用モータの動力による支持アームの回動を確保可能とするとともに、
前記支持アームが、駆動軸に連結、支持される基部と；この基部に対して伸縮移動される可動部と；の組み合わせを有するガイド部材をその構成ベースとして備えてなり、このガイド部材に対し、前記伸縮用モータの動力を、所定の伸縮用伝達手段を介して伝達、付与することにより、前記支持アームの伸縮を、この伸縮用モータの動力のもとで行うものとした請求項１ないし５のいずれか記載の車両用天井格納シート。
【請求項７】
前記ガイド部材が、少なくともシート本体の自重のもとで伸長されるシリンダ型ショックアブソーバからなるとともに、
前記伸縮用伝達手段が、
前記伸縮用モータの動力により回転駆動される回転軸と；
この回転軸に一体的に設けられたワイヤ巻き取り用リールと；
このワイヤ巻き取り用リールに巻装されたワイヤと；
前記駆動軸に回転自在に設けられたアッパプーリと；
上記ショックアブソーバの可動部先端に設けられた回転自在なロアプーリと；
の組み合わせを有してなり、
上記ワイヤ巻き取り用リールから引き出された上記ワイヤの先端を、上記アッパプーリ、ロアプーリを経て、上記シリンダ型ショックアブソーバの基部に対して固定的に連結、支持し、前記伸縮用モータの動力による、ワイヤ巻き取り用リールの回転に伴ったワイヤの巻き取り、送り出しにより、上記ショックアブソーバの伸縮を制御可能とした請求項６記載の車両用天井格納シート。
【発明の詳細な説明】
【技術分野】
【０００１】
本発明は、特定の格納位置への格納を可能とした格納シート、特に車体の天井面に沿った位置を格納位置として規定した車両用天井格納シートに関するものである。
【背景技術】
【０００２】
多目的自動車等の後列シート（リヤシート）として配される、特定位置に格納可能な格納シートとして、たとえば、車体の天井面に沿った位置をその格納位置とした、いわゆる天井格納シートが知られている。そして、たとえば実開平２−１２１４３５号公報に開示の構成が、この天井格納シートの一例として挙げられる。
【０００３】
この公知例の天井格納シートにおいては、天井から吊り下げられた回動可能な支持アームにシートクッションおよびシートバックからなるシート本体が連結、支持されている。そして、当該天井格納シートは、シート本体をその着座形態から所定の格納形態に変形させた後、天井に配された回動支点を中心に、その前方側において支持アームを回動させることにより、その着座位置からの、車体の天井面に沿った位置へのシートの格納を行うものとして構成されている。
【０００４】
ところで、この前出の公知の構成では、車体の天井に回動支点を配した支持アームの先端が、その着座姿勢において床体に固定的に連結、保持されるため、この種の構成においては、この支持アームに、天井から床体に架かるだけの長さが要求されることになる。つまり、この公知の構成においては、支持アームの回動半径の長尺化が避けられないものとなる。そして、この支持アームが、その回動支点の前方側で回動されることから、フロントシート等のその前方シートの前後スライド位置やそのシートバックのリクライニング角度等によっては、この天井格納シートが、格納位置、着座位置間でのその回動時に前方シートと干渉、接触しあうことも起こり得る。
【０００５】
このような前方シートとの干渉、接触等は、前方シートの位置、姿勢を事前に正すことで未然に防げるが、そのような事前の変更操作は天井格納シートの格納／復元操作自体を煩雑化させることから、回動半径の大きな公知の構成においては、天井格納シートの格納時、復元時、つまり移動操作時の操作性の低下が伴われやすい。
【０００６】
また、シート本体は、通常、支持アームの先端側、つまり回動支点から離れた位置に配置されることから、その操作点である支持アームの先端側に多大な荷重が作用することも避けられない。つまり、回動半径の大きな公知の構成においては、このような重量的な面においても、その操作性の低下を伴う虞が否定できない。
【０００７】
ここで、この種の天井格納シートとして、たとえば特開平１０−３３８０６４号公報に開示の構成も知られている。この当該天井格納シートは、シートバックのみを車体の天井面に沿った位置に格納するものとして構成され、シートクッションは、床面上に折り畳まれて格納される。
【０００８】
つまり、この二例目の天井格納シートにおいては、支持アームによって支持されるシート本体の重量がシートクッション分だけ軽くなる反面、シート移動時の操作箇所がそれぞれ別となるため、この点における操作性の低下が伴われる。そして、床面上にシートクッションを格納する構成であるため、床面上の凹凸を伴う虞もあり、ラゲッジスペースの拡張という点においては、その効果の低減も起こり得る。
【０００９】
ところで、乗用車等においては、モータ駆動による自動化が、シートの姿勢制御装置等に対する付加価値の一つとして一般的に捉えられており、それは上述の天井格納シートに対しても同じである。現に、支持アームの回動支点が床体側にあるものの、モータを備えた天井格納シートが、特開平７−３２３７７２号公報等に開示されている。
【００１０】
しかしながら、上述したように、この種の公知の構成においては、支持アームの回動半径が大きく、また、その負荷の主体となるシート本体がその支持アームの先端側に配されることから、モータの駆動のもとでその支持アームを回動させようとすると、そのモータに多大な作動トルクが必要となり、よって、モータ自体およびその他機構部等の複雑化、ならびにその全体的なコストの上昇等が避けられなくなる。
【００１１】
そして、前方シートとの干渉等の起こり得る構成であると、安全性の点においても、モータ駆動による自動化が困難となりやすい。
【特許文献１】実開平２−１２１４３５号公報
【特許文献２】特開平１０−３３８０６４号公報
【特許文献３】特開平７−３２３７７２号公報
【発明の開示】
【発明が解決しようとする課題】
【００１２】
解決しようとする問題点は、支持アームの回動半径が長いため、前方シートとの干渉等が発生しやすく、また、その支持アームの先端側に重量が主に掛かることから、モータによる駆動には適さないという点である。
【課題を解決するための手段】
【００１３】
本発明の請求項１は、支持アームをその軸線方向に伸縮可能とするとともに、この支持アームを回動させる際の駆動源となる回動用モータ、およびそれを伸縮させる際の駆動源となる伸縮用モータを、その動力を支持アームに伝達、付与可能に、車体の天井内にそれぞれ配設したことを、その一つの特徴としている。そして、本発明の請求項１は、格納位置からの復元時、収縮状態にある支持アームを回動用モータの動力により所定のロック解除位置まで回動させ、この回動用モータの停止後における伸縮用モータの起動のもとで所定の伸長状態まで伸長させた後、このロック解除位置からの、付勢手段の付勢力に抗した押し込みに伴うロック手段のロックにより、この伸長状態の支持アームを、着座位置に固定的に保持するとともに、所定のロック解除手段によるロック解除後、付勢手段の付勢力のもとでロック解除位置に回動、保持された支持アームを、伸縮用モータの動力により所定の収縮状態まで収縮し、この伸縮用モータの停止後における回動用モータの起動のもとで、この収縮状態の支持アームを格納位置まで回動させるものとしたことを、その最も主要な特徴としている。
【００１４】
また、本発明の請求項２は、ロック手段を、車体および支持アームのいずれか一方に固定されたストライカと、このストライカを固定的に把持可能に構成されてその他方に設けられたキャッチユニットとの組み合わせとし、なおかつ、このロック手段に対してロック解除操作を行うロック解除手段を、手動式の解除レバーとしてキャッチユニットとの同一部材に設けたことを、その最も主要な特徴としている。
【００１５】
そして、本発明の請求項３は、ロック手段を、車体に固定されたストライカと、このストライカを固定的に把持可能に構成されて支持アームに設けられたキャッチユニットとの組み合わせとするとともに、このロック手段に対してロック解除操作を行うロック解除手段を、制御手段により作動制御される作動手段から形成し、着座位置からの格納時、制御手段の格納スイッチ操作により作動手段を作動させた後の所定時間経過後に、伸縮用モータが駆動開始されることを、その最も主要な特徴としている。
【００１６】
また、本発明の請求項４は、回動用モータによる格納駆動時の負荷荷重の軽減を目的として設けられるアシストスプリングを、格納位置方向への付勢力を支持アームに付与可能に配し、このアシストスプリングの付勢力をロック解除位置と着座位置との間でも同一方向に作用させることにより、このアシストスプリングを付勢手段として兼用化したことを、その最も主要な特徴としている。
【００１７】
さらに、本発明の請求項５は、回動用モータの動力により駆動される駆動軸を、車体の天井内に設けられた左右一対のベースブラケット間に架設、軸支し、この駆動軸に対して支持アームを一体回動可能に連結することにより、この駆動軸を支持アームの回動支点としたことを、その最も主要な特徴としている。
【００１８】
そして、本発明の請求項６は、支持アームの回動支点となる駆動軸を、左右一対の支持ブラケット間に架設、軸支し、この駆動軸に対して回動用モータの動力を伝達、付与することにより、この回動用モータの動力による支持アームの回動を確保可能とするとともに、支持アームを、駆動軸に連結、支持される基部と、この基部に対して伸縮移動される可動部との組み合わせを有するガイド部材をその構成ベースとして備えたものとし、このガイド部材に対し、伸縮用モータの動力を、所定の伸縮用伝達手段を介して伝達、付与することにより、支持アームの伸縮を、この伸縮用モータの動力のもとで行うものとしたことを、その最も主要な特徴としている。
【００１９】
また、本発明の請求項７においては、ガイド部材を、少なくともシート本体の自重のもとで伸長されるシリンダ型ショックアブソーバとして具体化している。そして、伸縮用伝達手段を、伸縮用モータの動力により回転駆動される回転軸と、この回転軸に一体的に設けられたワイヤ巻き取り用リールと、このワイヤ巻き取り用リールに巻装されたワイヤと、駆動軸に回転自在に設けられたアッパプーリと、ショックアブソーバの可動部先端に設けられた回転自在なロアプーリとの組み合わせを有するものとし、ワイヤ巻き取り用リールから引き出されたワイヤの先端を、アッパプーリ、ロアプーリを経てシリンダ型ショックアブソーバの基部に対して固定的に連結、支持し、伸縮用モータの動力による、ワイヤ巻き取り用リールの回転に伴ったワイヤの巻き取り、送り出しにより、ショックアブソーバの伸縮を制御可能としたことを、この請求項７での最も主要な特徴としている。
【発明の効果】
【００２０】
本発明の請求項１に示す車両用天井格納シートによれば、シート本体を支持する支持アームが伸縮可能であるため、固定的な保持の可能な長さを有した支持アームであっても、その収縮によって回動半径を短尺化することが可能となる。つまり、前方シートとの干渉、接触等のない回動が、この前方シートに対する事前操作を伴うことなく可能となることから、その操作性、作業性が確実に向上されるという利点が、この発明によれば確実に得られる。
【００２１】
そして、この支持アームの収縮に伴う回動半径の短尺化により、支持アームの回動時における重量的負担が軽減できることから、モータ駆動による自動化が構成の複雑化等を伴うことなく可能になる利点も得られる。
【００２２】
さらに、支持アームの回動半径の短尺化が得られることから、モータ駆動による自動化の際における安全性が向上されるという利点も、この請求項１によれば同時に得られる。
【００２３】
なお、回動用モータおよび伸縮用モータを、いずれも車体の天井内に配しているため、その外管品質の低下が防止されるとともに、各モータの動力を支持アームの回動中心付近において伝達できることから、その構成自体の簡素化がはかられるという各利点も、この請求項１によれば得られる。
【００２４】
また、本発明の請求項２の構成においては、ロック手段を、車体および支持アームのいずれか一方に固定されたストライカと、このストライカを固定的に把持可能に構成されてその他方に設けられたキャッチユニットとの組み合わせとし、このロック手段に対してロック解除操作を行うロック解除手段を、手動式のレバーとしてキャッチユニットとの同一部材に設けるものとして具体化することで、その具現性の向上と操作性の向上とがはかられるという利点がある。
【００２５】
さらに、本発明の請求項３の構成においては、ストライカとキャッチユニットとの組み合わせとしてなるロック手段に対してロック解除操作を行うロック解除手段を、制御手段により作動制御される作動手段から形成しているため、ロックの自動解除による操作性の向上がはかられるという利点がある。そして、この請求項３においては、この作動手段の作動順位を、制御手段の格納スイッチ操作による伸縮用モータの起動に先行するものとして限定しているため、円滑な格納動作が十分に確保できるという利点がある。
【００２６】
また、本発明の請求項４は、回動用モータによる格納駆動時の負荷荷重の軽減を目的として設けられるアシストスプリングを付勢手段として兼用化するため、部品点数の削除により、その構成の簡素化が十分にはかられるという利点がある。
【００２７】
そして、本発明の請求項５によれば、回動用モータの動力により駆動される駆動軸を、車体の天井内に設けられた左右一対のベースブラケット間に架設、軸支し、この駆動軸に対して支持アームを一体回動可能に連結することにより、この駆動軸を支持アームの回動支点としているため、その構成の簡素化が十分にはかられるという利点がある。
【００２８】
さらに、本発明の請求項６によれば、支持アームの回動支点となる駆動軸を、左右一対の支持ブラケット間に架設、軸支し、この駆動軸に対して回動用モータの動力を伝達、付与することにより、この回動用モータの動力による支持アームの回動を確保可能とするとともに、支持アームを、駆動軸に連結、支持される基部と、この基部に対して伸縮移動される可動部との組み合わせを有するガイド部材をその構成ベースとして備えたものとし、このガイド部材に対し、伸縮用モータの動力を、所定の伸縮用伝達手段を介して伝達、付与することにより、支持アームの伸縮を、この伸縮用モータの動力のもとで行うものとしているため、その構成の簡素化が十分にはかられるという利点がる。
【００２９】
そして、本発明の請求項７によれば、ガイド部材をシリンダ型ショックアブソーバとし、このシリンダ型ショックアブソーバの伸縮制御を、伸縮用モータの動力により回転駆動される回転軸と、この回転軸に一体的に設けられたワイヤ巻き取り用リールと、このワイヤ巻き取り用リールに巻装されたワイヤと、駆動軸に回転自在に設けられたアッパプーリと、ショックアブソーバの伸縮可動部先端に設けられた回転自在なロアプーリとの組み合わせを有する伸縮用伝達手段により行うものとしているため、その円滑な伸縮が構成の複雑化を伴うことなく確保できるという利点がある。
【発明を実施するための最良の形態】
【００３０】
前方シートとの干渉等を防止し、かつモータの駆動による天井格納シートの自動化をはかるという目的を、支持アームの伸縮を得ることで構成の複雑化等を伴うことなく実現した。
【実施例】
【００３１】
図１、図２は、本発明の車両用天井格納シート１０の、その着座位置における概略の縦断面図、およびその概略正面図をそれぞれ示すものであり、この天井格納シートにおいては、折り畳み可能なシート本体１２を支持する、車体１３の天井１４に回動支点を配した回動可能な支持アーム１６が、その軸線方向での伸縮をも可能に構成されている。そして、図３に示すように、この支持アーム１６を回動させる際の駆動源となる回動用モータ１８、およびそれを伸縮させる際の駆動源となる伸縮用モータ２０が、その動力を支持アームに伝達、付与可能に、車体の天井１４内にそれぞれ配設されている。
【００３２】
図１、図２を見るとわかるように、支持アーム１６は、回動支点を有する回動基部１６−１と、この回動基部に対して伸縮移動される伸縮可動部１６−２との組み合わせとして形成され、その伸縮可動部において、シート本体１２のシートバック２２の左右端が固定的に支持されている。
【００３３】
このシート本体１２は、シートクッション２４の後端部を、シートバック２２の着座面２２ａ側に、たとえば枢軸２６によりその跳ね上げを可能に枢着してなる、着座面合わせでの折り畳みの可能な形態として形成され、シートバックからのシートクッションの引き出しによるその着座形態の形成時にシートクッションの前部を支持する折り畳み可能なレッグ２８が、シートクッションの裏面に、その回動を可能に設けられている。
【００３４】
なお、シートバック２２の着座面２２ａは、跳ね上げられたシートクッション２４を収納可能とする断面略凹形状に形成されており、また、シートクッションのレッグ２８は、シートクッションの裏面に形成された裏面凹部２４ａ内に収納可能に構成されている（図４参照）。
【００３５】
この天井格納シート１０における支持アーム１６は、シート本体１２の着座形態の形成可能な図１に示す着座位置と、天井面１４ａに沿った図５に示す格納位置との間で、天井１４内に配された回動支点を中心として回動される。そして、この発明においては、この支持アーム１６の回動、詳細には後述するその所定範囲内での支持アームの回動を、上述の回動用モータ１８の駆動制御のもとで行うものとしている。
【００３６】
図３を見るとわかるように、回動用モータ１８の動力により駆動される駆動軸３０が、天井１４内において左右に離間並置された一対の支持ブラケット３２Ｌ，３２Ｒ間に架設、軸支されている。そして、この駆動軸３０に対し、支持アームの回動基部１６−１を一体回動可能に連結することによって、この駆動軸を支持アーム１６の回動支点として設けている（図１参照）。
【００３７】
なお、図３に示すように、回動用モータ１８は、左右の支持ブラケットのいずれか一方、たとえば支持ブラケット３２Ｌに対し、台座等を介して固定、支持される。そして、減速手段を兼ねるギヤ機構３４を介してその動力を駆動軸３０の一端に伝達、付与することにより、この回動用モータ１８による駆動軸の駆動、つまりは支持アーム１６の回動は行われる。
【００３８】
この支持アーム１６は、伸縮ガイドとなるガイド部材をその構成ベースとして伸縮可能に構成されている。この、構成ベースとなるガイド部材としては、たとえば、図６に示すようなシリンダ型ショックアブソーバ３６が例示できる。そして、駆動軸（回動支点）３０に一体回転可能に設けられたホルダ３８に、このショックアブソーバ３６の基部３６−１を一体的に連結することにより、駆動軸を回動支点とする支持アーム１６が形成される。
【００３９】
なお、このショックアブソーバ３６の周りを樹脂製等の基部用カバーおよび可動部用カバーでそれぞれ被装することにより、図１および図２に示すような良好な外観形状を持つ支持アーム１６が形成される。また、図６に示すように、ショックアブソーバ３６の、基部３６−１に対する可動部３６−２にサイドブラケット４０が一体的に設けられており、このサイドブラケットへのシートバックフレーム４２の固定的連結のもとで、このショックアブソーバの可動部、ひいては支持アームの伸縮可動部１６−２に対するシートバック２２の固定がはかられる（図２参照）。
【００４０】
ここで、上述したように、この発明の天井格納シート１０においては、支持アーム１６の回動範囲が、シート本体１２の着座形態の形成可能な図１に示す着座位置と、天井面１４ａに沿った図５に示す格納位置との間として規定されている。そして、この種の天井格納シート１０においては、支持アーム１６が、車体１３に対し、所定のロック手段４４により、その着座位置で固定的に保持されるものとなっている（図２参照）。
【００４１】
図２および図６に示すように、このロック手段４４として、たとえば、車体１３、詳細にはタイヤハウス１３ａ等に固定されたストライカ４６と、このストライカを固定的に把持可能に構成されて、支持アーム１６に設けられたキャッチユニット４８との組み合わせが例示できる。
【００４２】
なお、このようなストライカ４６とキャッチユニット４８との組み合わせ、およびこのキャッチユニット自体の基本構成は公知であり、その構成自体はこの発明の趣旨でないため、ここでの詳細な説明は省略する。
【００４３】
また、このキャッチユニット４８に対しては、所定のロック解除手段が連動可能に設けられる。そして、このロック解除手段としては、このキャッチユニット４８の設けられた側の部材、つまり支持アーム１６に設けられた手動式の解除レバー（図示しない）等が例示できる。
【００４４】
ここで、前出のように、支持アーム１６の回動範囲は、ロック手段４４によって固定的に保持される図１に示す着座位置と、天井面１４ａに沿った図５に示す格納位置との間として規定されているが、この発明においては、回動用モータ１８による支持アームの駆動範囲が、この全回動範囲のうちの、格納位置と、着座位置より格納位置寄りに規定された、ロック手段４４に対するロック解除位置との間として限定されている。
【００４５】
この、支持アーム１６のロック解除位置は、たとえば、図７に示す、ストライカ４６からのキャッチユニット４８の離反位置として規定される。そして、回動用モータ１８の動力による駆動範囲外となる、このロック解除位置と着座位置との間においては、所定の付勢手段からの付勢力のもとで、支持アーム１６がロック解除位置方向に付勢されている。
【００４６】
この、支持アーム１６を着座位置からロック解除位置方向に付勢する付勢力として、たとえば、同一方向への付勢力を駆動軸３０に付与可能に設けられた、回動用モータ１８による格納駆動時の負荷荷重の軽減を目的として設けられるアシストスプリング５０の付勢力が利用できる（図３参照）。
【００４７】
なお、この図３に示すように、アシストスプリング（付勢手段）５０としては、駆動軸３０に巻装されたねじりばねが例示できるが、このアシストスプリング自体は、負荷荷重の軽減を目的として一般に設けられるものと何等変わりないため、このアシストスプリングに対する詳細な説明はここでは省略する。
【００４８】
また、上述しように、この発明の天井格納シート１０においては、支持アーム１６の伸縮を、伸縮用モータ２０の動力のもとで行うものとするとともに、その伸縮を、支持アームのロック解除位置において限定的に行うものとして具体化している。
【００４９】
図３を見るとわかるように、この伸縮用モータ２０は、回動用モータ１８と異なる支持ブラケット３２Ｒに固定、支持され、伸縮用伝達手段５２を介して、その動力がショックアブソーバ３６に伝達、付与されるものとなっている。
【００５０】
この伸縮伝達手段５２として、たとえば、伸縮用モータ２０の動力により回転駆動される回転軸５４と、この回転軸に一体的に設けられたワイヤ巻き取り用リール５６と、このワイヤ巻き取り用リールに巻装されたワイヤ５８と、駆動軸に回転自在に設けられたアッパプーリ６０と、ショックアブソーバの可動部先端に設けられた回転自在なロアプーリ６２との組み合わせが例示できる（図６参照）。
【００５１】
回転軸５４は、駆動軸３０と同様に左右の支持ブラケット３２Ｌ，３２Ｒ間に架設、軸支され、所定のギヤ機構６４を介して、伸縮用モータ２０に連動可能に連結されている。
【００５２】
そして、この回転軸５４に一体回転可能に設けられたワイヤ巻き取り用リール５６にワイヤ５８が巻装されており、このワイヤ巻き取り用リールから引き出されたワイヤの先端５８ａを、図６に示すように、アッパプーリ５０、ロアプーリ５２を経て、ショックアブソーバの基部３６−１に対して固定的に連結、支持することにより、これらの組み合わせとしてなる伸縮伝達手段５２が、ショックアブソーバの伸縮、つまりその基部に対する可動部３６−２の伸縮移動を可能に構成されている。
【００５３】
たとえば、伸縮用モータ２０による回転軸５４の回転駆動により、ワイヤ５８がワイヤ巻き取り用リール５６に巻き取られれば、ワイヤ巻き取り用リールからのワイヤの延出量の減少により、ショックアブソーバの可動部３６−２が基部３６−１内に引き上げられて収縮し、また、伸縮用モータによる回転軸の回転駆動により、ワイヤがワイヤ巻き取り用リールから送り出されれば、ワイヤ巻き取り用リールからのワイヤの延出量の増大により、ショックアブソーバの可動部が基部から引き出されて伸長される。
【００５４】
なお、ワイヤ巻き取り用リール５６からのワイヤ５８の送り出し自体に、ショックアブソーバ３６を伸長させる能力はない。しかし、ワイヤ巻き取り用リール５６からワイヤ５８を送り出すことで、基部３６−１に対する可動部３６−２の伸長規制力が徐々に解除されることになり、シート本体１２の自重をこの可動部に掛けることで、ワイヤ巻き取り用リール５６からのワイヤ５８の送り出しに伴ったショックアブソーバ３６、つまり支持アーム１６の伸長が得られることになる。
【００５５】
前出の回動用モータ１８および伸縮用モータ２０は、いずれも所定の制御手段６６により駆動制御される（図１参照）。
【００５６】
この制御手段６６は、格納指令を行う格納スイッチ、および復元指令を行う着座スイッチ（いずれも図示しない）を少なくとも有してなり、そのスイッチ操作に応じた制御信号を回動用モータ１８および伸縮用モータ２０に対して送ることにより、その駆動制御を可能に構成されている（図３参照）。
【００５７】
なお、この制御手段６６は所定の電気回路により形成されるが、その回路自体はこの発明の趣旨でないため、この電気回路に対する詳細な説明はここでは省略する。
【００５８】
また、このような制御手段６６は、通常、ボックス内に収納されて、スイッチ操作の容易な位置、たとえば車体の床面６８等に埋設される（図１参照）。
【００５９】
ここで、この発明においては、回動用モータ１８および伸縮用モータ２０の作動順位を、格納時、復元時に応じてそれぞれ順位付けしている。
【００６０】
この天井格納シート１０の格納時の動作を、ここでまず説明する。
【００６１】
図１に示すその着座位置においては、まず、シートバック２２の前面凹部に対するシートクッション２４の跳ね上げ収納、およびシートクッションの裏面凹部２４ａ内へのレッグ２８の折り畳み収納のもとで、図４に示すような、シート本体１２の格納形態が形成される。そして、ロック解除手段となる解除レバーの操作のもとでロック手段４４のロック解除を行うことにより、支持アーム１６は、アシストスプリング５０の付勢力のもとで、図７に示す、そのロック解除位置まで移動（回動）される。
【００６２】
なお、このロック解除位置においては、回動用モータ１８による、このロック解除位置から格納位置方向への回動規制力が支持アーム１６に付与されているため、この支持アームは、そのロック解除位置に、アシストスプリング５０の付勢力のもとで保持されることになる。
【００６３】
そして、この支持アーム１６のロック解除位置において、制御手段６６の格納スイッチを操作することにより、このロック解除位置からの天井格納シート１０の格納動作が開始される。
【００６４】
制御手段６６の格納スイッチが操作されると、まず、制御手段からの起動信号に基づいた伸縮用モータ２０の起動のもとで、支持アーム１６が、ロック解除位置において、図８に示す収縮状態まで収縮される。そして、リミットスイッチ（図示しない）等による伸縮用モータ２０の停止の認識後、制御手段からの起動信号に基づいた回動用モータ１８の起動のもとで、支持アーム１６が、このロック解除位置から格納位置方向に回動されるとともに、図５に示す格納位置への到達後、この回動用モータの駆動停止よる回動規制のもとで、支持アーム、つまり天井格納シート１０は、車体の天井面１４ａに沿った格納位置に固定的に格納、保持される。
【００６５】
また、天井格納シート１０の格納位置において、制御手段６６の着座スイッチが操作されると、まず、制御手段からの起動信号に基づいた回動用モータ１８の起動のもとで、支持アーム１６が、図５に示す格納位置から、回動用モータによる駆動限度位置である図８に示すロック解除位置に回動される。そして、収縮状態にある支持アーム１６は、リミットスイッチ（図示しない）等による回動用モータ１８の停止の認識後における伸縮用モータ２０の起動により、このロック解除位置で、図７に示す所定の伸長状態に伸長され、このロック解除位置からの、アシストスプリング５０の付勢力に抗した押し込みに伴うロック手段４４のロックにより、この伸長状態の支持アームを図４に示す着座位置に固定的に保持するとともに、シートクッション２４を引き出すことにより、図１に示す、天井格納シート１０の着座形態の形成が可能となる。
【００６６】
上記のように、この発明の車両用天井格納シート１０においては、シート本体１２を支持する支持アーム１６が伸縮可能であり、その収縮状態で格納位置、ロック解除位置間を回動するものとして、この支持アームの動作形態が限定されている。つまり、車体１３に対する固定的な保持のはかられる長さを有した支持アーム１６であっても、その収縮によって回動半径を短尺化することが可能となることから、前方シートとの干渉、接触等のない支持アームの回動、つまり天井格納シート１０の回動動作が、その前方シートに対する事前操作を伴うことなく遂行可能となり、よって、その操作性、作業性が確実に向上される。
【００６７】
そして、この支持アーム１６の収縮に伴う回動半径の短尺化により、支持アームの回動時における重量的負担が軽減できることから、モータ駆動による自動化が構成の複雑化等を伴うことなく容易に可能となる。
【００６８】
さらに、支持アーム１６の回動半径の短尺化が得られることから、モータ駆動による自動化の際におけるその安全性の向上も確実にはかられる。
【００６９】
また、この発明においては、ロック手段４４により固定的に保持される格納位置とは別の、ロック手段に対するロック解除位置を、伸縮用モータ２０による支持アーム１６の伸縮動作位置として規定している。つまり、ロック手段４４による妨げのない伸縮動作が用意に確保可能となることから、この点においても、その安全性の向上が確実にはかられる。
【００７０】
そして、この発明においては、回動用モータ１８および伸縮用モータ２０が車体の天井１４内に配設しているため、車両自体の外管品質が確実に向上される。そして、支持アーム１６の回動支点に近い部分において、この回動用モータ１８および伸縮用モータ２０の動力を支持アームに伝達するため、その構成自体の簡素化も十分にはかられる。
【００７１】
ここで、上述したこの発明の実施例においては、ロック手段４４をストライカ４６とキャッチユニット４８との組み合わせとして具体化しているが、支持アーム１６を車体１３に対し、その着座位置において固定的に保持可能とすれば足りるため、この組み合わせに限定されず、他の組み合わせから、このロック手段を形成してもよい。
【００７２】
しかしながら、このようなストライカ４６とキャッチユニット４８との組み合わせであれば、その構成、構造の複雑化を伴うことのない配設が可能であり、また、ワンタッチによるロック、ロック解除が得られることから、その操作性も確実に向上される。
【００７３】
特に、このキャッチユニット４８は、そのロック解除によってストライカ４６を蹴る特徴を持つことから、この構成によれば、ロック位置からの支持アーム１６の移動、分離が容易かつ適切に確保できるという効果が確保できる。
【００７４】
なお、この実施例においては、ストライカ４６を車体１３に、また、キャッチユニット４８を支持アーム１６に、それぞれ設けているが、相互間の係合、保持が可能であれば足りるため、これとは逆に、ストライカを支持アームに、また、キャッチユニットを車体１３に、それぞれ設ける構成としてもよい。ただし、この場合においては、ロック解除手段となる解除レバーが、キャッチユニット４８と同じ側の部材である車体１３に設けられる。
【００７５】
ここで、この実施例においては、このロック解除手段を手動式の解除レバーとして具体化しているが、これに限定されず、たとえば、アクチュエータ等の作動手段を、このロック解除手段として利用してもよい。
【００７６】
このアクチュエータ等の作動手段（図示しない）は、回動用モータ１８および伸縮用モータ２０と同様に、制御手段６６による作動制御を可能に構成される。そして、この作動手段は、着座位置からの支持アーム１６の格納時、伸縮用モータ２０の起動に先行して作動するように構成されている。
【００７７】
つまり、この作動手段をロック解除手段として備えた構成においては、着座位置における制御手段６６の格納スイッチ操作により、まず、伸縮用モータ２０の起動に先行してこの作動手段の作動、つまりロック手段４４のロック解除が行われる。そして、たとえばタイマ等の計時によるその所定時間経過後に伸縮用モータ２０を起動させることで、その段階的動作を得ることができる。
【００７８】
このように、ロック解除手段としてアクチュエータ等の作動手段を利用すれば、天井格納シート１０の格納時、制御手段６６のスイッチ操作のみでの格納操作が可能となるため、その操作性が一層向上される。そして、その作動順位を限定的に規定しているため、作動性、安全性に優れた自動化が容易に可能となる。
【００７９】
また、この実施例においては、アシストスプリング５０の付勢力を、支持アーム１６をロック解除位置に付勢、保持する付勢力として利用しているが、これに限定されず、たとえば、他の専用の付勢手段によって、支持アームをそのロック解除位置に付勢、保持する構成としてもよい。
【００８０】
しかしながら、この、支持アーム１６をそのロック解除位置に付勢、保持する付勢手段としてアシストスプリング５０を兼用化すれば、その部品点数の減少がはかられることから、構成の簡素化が十分に可能となる。
【００８１】
ここで、この実施例においては、左右の支持ブラケット３２Ｌ，３２Ｒ間に架設、軸支された駆動軸３０を支持アーム１６の回動中心として具体化しているが、支持アームの回動中心の構成はこれに限定されるものではない。しかし、このような駆動軸３０を回動中心とし、なおかつ、この駆動軸に回動用モータ１８の動力を付与すること支持アーム１６の回動を得る構成とすることにより、その構成の簡素化が確実にはかられる。
【００８２】
また、この実施例においては、支持アーム１６の構成ベースとなるガイド部材として、シリンダ型ショックアブソーバ３６を例示しているが、駆動軸３０に連結、支持される基部と、この基部に対して伸縮移動される可動部との組み合わせを有するものであれば足りるため、たとえば、アッパレールとロアレールとの組み合わせとしてなるガイドレール等を、このガイド部材として利用してもよい。
【００８３】
しかしながら、このようなシリンダ型ショックアブソーバ３６であれば、軽量、コンパクトであり、なおかつ、その伸縮時の衝撃吸収機能をも有していることから、支持アーム１６の円滑な伸縮、回動を容易に確保することが十分に可能となる。従って、シリンダ型ショックアブソーバ３６をベース部材として利用することにより、その作動性に優れた支持アーム１６を、構成の複雑化等を伴うことなく容易に確保することが可能となる。
【００８４】
さらに、この実施例においては、伸縮用モータ２０の動力をシリンダ型ショックアブソーバに伝達、付与する伸縮用伝達手段５２が、伸縮用モータにより回転駆動される回転軸５４と、この回転軸のワイヤ巻き取り用リール５６に巻装され、駆動軸３０のアッパプーリ６０、およびショックアブソーバのロアプーリ６２を経てその先端をショックアブソーバの基部３６−１に固定的に連結したワイヤ５８とを有するものとして具体化されているが、伸縮用モータの動力をショックアブソーバに伝達、なおかつ、その動力をショックアブソーバの伸縮動作に変換可能な構成であれば足りるため、この組み合わせに限定されず、他の組み合わせ、たとえばリードスクリューとナットとの組み合わせ、あるいはラックとピニオンとの組み合わせ等から、この伸縮用伝達手段を構成してもよい。
【００８５】
しかし、ワイヤ５８を主体としたこの実施例における構成であれば、伸縮用モータ２０の動力によるショックアブソーバ３６の伸縮、つまりは支持アーム１６の伸縮が、その構成の複雑化を伴うことなく容易に確保できるため、その構成の簡素化が十分にはかられる。
【００８６】
なお、構成ベースとなるショックアブソーバ３６や伸縮用伝達手段５２等のような、支持アーム１６の内部に配設される部材の構成が簡素化されれば、支持アーム自体の小型化（細軸化）や軽量化が十分にはかられるため、これらの構成が簡素化されることで、その作動性自体が一層向上されることにもなる。
【００８７】
上述した実施例は、この発明を説明するためのものであり、この発明を何等限定するものでなく、この発明の技術範囲内で変形、改造等の施されたものも全てこの発明に包含されることはいうまでもない。
【産業上の利用可能性】
【００８８】
一般的には、多目的自動車等の後列シート（リヤシート）として配設される天井格納シートが適用対象となるが、これに限定されるものではなく、他の車両用シート、たとえばバス等のシートに、この発明を適用してもよい。
【図面の簡単な説明】
【００８９】
【図１】この発明に係る車両用天井格納シートの、その着座位置における概略の縦断面図である。
【図２】車両用天井格納シートの、その着座位置における概略正面図である。
【図３】支持アームの回動中心を主とした、車体天井内の概略斜視図である。
【図４】その着座位置における、シート本体折り畳み時での車両用天井格納シートの概略縦断面図である。
【図５】車両用天井格納シートの、その格納位置における概略縦断面図である。
【図６】支持アームの内部構造を示す、一部破断の概略斜視図である。
【図７】車両用天井格納シートの、そのロック解除位置における概略縦断面図である。
【図８】支持アームの収縮時における、車両用天井格納シートの概略縦断面図である。
【符号の説明】
【００９０】
１０  車両用天井格納シート
１２  シート本体
１６  支持アーム
１８  回動用モータ
２０  伸縮用モータ
３０  駆動軸
３６  シリンダ型ショックアブソーバ（構成ベース）
４４  ロック手段
５２  伸縮用伝達手段
【図１】
2006015940.tif 000003
【図２】
2006015940.tif 000004
【図３】
2006015940.tif 000005
【図４】
2006015940.tif 000006
【図５】
2006015940.tif 000007
【図６】
2006015940.tif 000008
【図７】
2006015940.tif 000009
【図８】
2006015940.tif 000010